(57)【要約】  【課題】液晶表示パネルを筐体に収納した場合、液晶表示パネルが筐体に押し付けられることにより表示に悪影響を及ぼす場合がある。  【解決手段】第１の基板１１と、この第１の基板よりも小さい第２の基板１２とを有し、第１の基板１１と第２の基板１２間に液晶を挟持して構成した液晶表示パネルで、液晶表示パネルの第１の基板１１上で第２の基板１２と重なっていない領域には、液晶表示パネルの駆動を制御するドライバチップ１３と、このドライバチップ１３に液晶表示パネルの外部からの信号を供給するフレキシブルプリント基板１５を配置し、さらにドライバチップ１３の両脇に第２の基板１２の高さより高い第１のスペーサ部材１４を配置する。  【選択図】図１
2008256760.tif 000002
【特許請求の範囲】
【請求項１】
第１の基板と、該第１の基板よりも小さいサイズの第２の基板とを有し、前記第１の基板と前記第２の基板間に液晶を挟持して構成した液晶表示パネルにおいて、
該液晶表示パネルの前記第１の基板上の前記第２の基板と重なっていない領域には、
前記液晶表示パネルの駆動を制御するドライバチップと、該ドライバチップに前記液晶表示パネルの外部からの信号を供給するフレキシブルプリント基板を配置し、さらに、
前記ドライバチップの両脇に前記第２の基板の高さより高い第１のスペーサ部材を配置している液晶表示パネル。
【請求項２】
請求項１の液晶表示パネルにおいて、
前記第１のスペーサ部材は、前記第１の基板の端部まで配置されている液晶表示パネル。
【請求項３】
請求項１又は２の液晶表示パネルにおいて、
前記第１の基板上に重畳している前記フレキシブルプリント基板の上には、前記第２の基板の高さよりも高い第２のスペーサ部材を配置した液晶表示パネル。
【請求項４】
請求項１の液晶表示パネルにおいて、
前記第２のスペーサ部材は、前記第１の基板の端部まで配置されている液晶表示パネル。
【請求項５】
請求項３又は４の液晶表示パネルにおいて、
前記第１のスペーサ部材と、前記第２のスペーサ部材は一体で構成されている液晶表示パネル。
【請求項６】
請求項１乃至５の何れか一項に記載の液晶表示パネルにおいて、
前記第１のスペーサ部材若しくは前記第２のスペーサ部材は、ＰＥＴにより構成されている液晶表示パネル。
【発明の詳細な説明】
【技術分野】
【０００１】
本発明は液晶表示パネルの構造に関し、特にデジタルスチールカメラ用に使用する液晶表示パネルのように、金属フレーム等で液晶表示パネルを保持する構造の液晶表示モジュールに使用される液晶表示パネルの構成に関する。  
【背景技術】
【０００２】
図８は、従来の液晶表示モジュールの構成を示す図面である。
【０００３】
図８（ａ）に示すように、従来の液晶表示モジュールでは、ＴＦＴ基板１１と、このＴＦＴ基板１１よりも小さいサイズのカラーフィルタ基板１２（以下、ＣＦ基板１２）の間に図示しない液晶層を挟持して液晶表示パネルが構成されている。また、ＴＦＴ基板１１上でＣＦ基板１２と重なっていない領域には、液晶表示パネルの駆動を制御するドライバチップ１３と、このドライバチップ１３に外部からの制御信号を伝送するための可撓性のフレキシブルプリント基板１５（以下、ＦＰＣ１５）が配置されている。尚、図８（ｂ）は図８（ａ）を上方から見た図面である。
【０００４】
図９は、例えばこのような液晶表示パネルを金属製の筐体１６に収納し保持された状態を示す図面である。図９に示されるように、筐体１６には液晶表示パネルのＦＰＣ１５を引き出している窓部１７が設けられている。
【０００５】
尚、単にＴＦＴ基板上にスペーサを配置する従来技術として特許文献１が挙げられる。
【０００６】
【特許文献１】特開平８‐１２２７７９号公報
【発明の開示】
【発明が解決しようとする課題】
【０００７】
図１０は従来の液晶表示パネルを筐体１６内に収納した状態を示したものである。図１０に示されるように、筐体１６は上側のフレームと下側のフレームを組み合わせ、この間に液晶表示パネルが配置している。図１０に示されるように、液晶表示パネルは筐体が接触することにより、力ＰがＣＦ基板１２の端部に加わってしまい、この力Ｐの影響で表示特性が悪くなってしまうという問題がある。
【０００８】
本発明は、液晶表示パネルを筐体に収納した場合でも表示に影響の出ない液晶表示パネルを提供することを目的とする。
【課題を解決するための手段】
【０００９】
本発明の一つの実施態様によれば、例えばガラス基板やプラスチック基板などの透明基板により構成される第１の基板と、この第１の基板よりも小さいサイズのガラス基板やプラスチック基板等の透明基板により構成される第２の基板とを有し、第１の基板と第２の基板間に液晶を挟持して構成した液晶表示パネルにおいて、液晶表示パネルの第１の基板上で第２の基板と重なっていない領域には、液晶表示パネルの駆動を制御するドライバチップと、該ドライバチップに前記液晶表示パネルの外部からの信号を供給するフレキシブルプリント基板を配置し、さらにドライバチップの両脇に第２の基板の高さより高い第１のスペーサ部材が配置されている、というものである。
【００１０】
この構成により液晶表示パネルを筐体に収納した場合でも、このスペーサ部材が筐体からの力を吸収し、表示に影響の出ない液晶表示パネルを提供することができる。
【００１１】
この第１のスペーサ部材は、第１の基板の端部まで配置されていても良い。このようにすれば、第１の基板上に重畳しているフレキシブルプリント基板の上に、第２の基板の高さよりも高い第２のスペーサ部材を配置し、この第２のスペーサ部材と第１のスペーサ部材を一体構成とした場合に、フレキシブルプリント基板の上方への曲がりを防止できる。よって、この第２のスペーサ部材は、第１の基板の端部まで配置されていれば、フレキシブルプリント基板が上方へ曲がることを効果的に抑止できる。第１のスペーサ部材若しくは第２のスペーサ部材を構成する具体的な材料としてはＰＥＴが考えられる。
【発明の効果】
【００１２】
本発明によれば、液晶表示パネルを筐体に収納した場合でも表示に影響の出ない液晶表示パネルを提供することができる。
【発明を実施するための最良の形態】
【００１３】
以下、図面を用いて詳細に説明する。
【００１４】
図１は、本発明に関する液晶表示パネルの構成を示すものである。
【００１５】
図１（ａ）に示されるように、液晶表示パネルは、例えばガラス基板、プラスチック基板のような絶縁性の透明基板で構成されるＴＦＴ基板１１と、このＴＦＴ基板１１よりもサイズの小さいカラーフィルタ基板１２（以下、ＣＦ基板１２）に液晶層を挟持して重ね合わせることにより構成されている。またＴＦＴ基板１１上には、ＣＦ基板１２と重なっていない箇所に液晶表示パネルの駆動を制御するドライバチップ１３が搭載されている。さらにこのドライバチップ１３に外部から信号を供給するためにフレキシブルプリント基板１５（以下、ＦＰＣ１５）の一端が配置されている。尚、図１に示したような構成ではなくＣＦ基板を下側にしてＣＦ基板にドライバチップを配置する場合は、ＣＦ基板の方がＴＦＴ基板よりもサイズが大きくなる。
【００１６】
本発明では、液晶表示パネルのＴＦＴ基板１１上で、ＣＦ基板１２と重なっていない領域のドライバチップの両脇に、ＣＦ基板１２の厚さより厚い例えばＰＥＴにより構成されたスペーサ部材１４を配置するというものである。尚、図１（ｂ）は図１（ａ）を上方から見た図面である。
【００１７】
図２は、図１の構成を横方向から見た図面である。図２からは明確ではないが、本発明のスペーサ部材１４の高さは、ＣＦ基板１２より若干高く構成されている。この若干高いとは、同じ高さでは効果が薄れ、また高すぎると薄型化の要求には反するという点を考慮すると０ｍｍより大きく０．２ｍｍ以下の範囲が適当と思われる。よって、薄型化の要求をそれほど重要視しないならば、ＣＦ基板の高さより高ければ良いということになる。
【００１８】
図３は本発明の液晶表示パネルを筐体１６の中に収納した状態を示す図面である。図３に示すように、筐体１６の窓部１７からＦＰＣ１５が引き出されて構成されている点は従来例と同様である。
【００１９】
図４は本発明の液晶表示パネルを筐体１６内に収納した様子を示す図面である。
【００２０】
図４に示されているように、本発明ではスペーサ部材１４をＣＦ基板１２よりも若干高く配置しているため、筐体１６はスペーサ部材１４に押し付けられ、よって、力Ｐがこのスペーサ部材１４に加わって分散されるため、ＣＦ基板１２の端部に加わる力を抑制することができる。その結果、液晶表示パネルの表示に液晶の出ない液晶表示パネルを構成できるというものである。
【００２１】
図５は、本発明の別の実施例を示す図面である。
【００２２】
図５（ａ）は、図１（ａ）に対応する図面であり、図１（ａ）に比べて、ＦＰＣ１５の上にもスペーサ部材１４が配置されている点が特徴である。図５（ｂ）に示されるように、この実施例ではスペーサ部材をＦＰＣ１５の上にも配置している。尚、このスペーサ部材は、図示していないが、前述の実施例で説明したスペーサ部材とは別体で構成しても良いし、図５に示しているように、一体で構成しても良い。尚、この実施例のようにＦＰＣ１５の上にもスペーサ部材を配置する理由は、例えば図３、図４で示される状態ではＦＰＣ１５が上側に曲げられてしまうと端子部が断線してしまう可能性があるため、このような可能性を防止するという意味である。
【００２３】
図６は図５の液晶表示パネルを筐体１６内に収納した状態を示す図面である。図７は、図６の様子を横方向から見た図面である。図７に示すように、スペーサ部材１５を配置したことによりＦＰＣ１５が上方向７０に曲げられることを抑止できる。
【図面の簡単な説明】
【００２４】
【図１】本発明に関する液晶表示パネルの構成を示すものである。
【図２】図１の液晶表示パネルを側面から見た図面である。
【図３】図１の液晶表示パネルを筐体内に収納した状態を示す図面である。
【図４】図１の液晶表示パネルを筐体内に収納した場合の効果を示す図面である。
【図５】本発明の別の実施例を示す液晶表示パネルを示す図面である。
【図６】図５の液晶表示パネルを筐体内に収納した状態を示す図面である。
【図７】図１の液晶表示パネルを筐体内に収納した場合の効果を示す図面である。
【図８】従来の液晶表示パネルの構成を示す図面である。
【図９】従来の液晶表示パネルを筐体内に収納した状態を示す図面である。
【図１０】従来の液晶表示パネルを筐体内に収納した場合の課題を示す図面である。
【符号の説明】
【００２５】
１１…ＴＦＴ基板、  １２…ＣＦ基板、  １３…ドライバチップ、  １４…スペーサ部材、
１５…ＦＰＣ、１６…筐体、１７…窓部、１８…バックライト
【図１】
2008256760.tif 000003
【図２】
2008256760.tif 000004
【図３】
2008256760.tif 000005
【図４】
2008256760.tif 000006
【図５】
2008256760.tif 000007
【図６】
2008256760.tif 000008
【図７】
2008256760.tif 000009
【図８】
2008256760.tif 000010
【図９】
2008256760.tif 000011
【図１０】
2008256760.tif 000012